(57)【特許請求の範囲】
【請求項１】
上部フロントケース（１）と上部リアケース（７）とで形成される第１の筐体と、下部フロントケース（４）と下部リアケース（１１）とで形成される第２の筐体とを備え、
上部フロントケース（１）に２つのヒンジ部（２ａ，２ｂ）を含む第１のヒンジ部が設けられ、下部フロントケース（４）に２つのヒンジ部（５ａ，５ｂ）を含む第２のヒンジ部が設けられ、
断面が円周の一部をなす第１の上部ヒンジ部材（３）が上部フロントケース（１）に設けられ、第１の上部ヒンジ部材と接合して内部に筒状の第１の空間を形成するものであって断面が円周の一部をなす第１の下部ヒンジ部材（８）が上部リアケース（７）に設けられ、断面が円周の一部をなす第２の上部ヒンジ部材（６）が下部フロントケース（４）に設けられ、第２の上部ヒンジ部材と接合して内部に筒状の第２の空間を形成するものであって断面が円周の一部をなす第２の下部ヒンジ部材（１２）が下部リアケース（１１）に設けられ、第１の筒状の空間は第２の筒状の空間と連通して筒状空間を形成し、
第１の上部ヒンジ部材（３）および第１の下部ヒンジ部材（８）と第２の上部ヒンジ部材（６）および第２の下部ヒンジ部材（１２）とは、第１のヒンジ部（２ａ，２ｂ）および第２のヒンジ部（５ａ，５ｂ）よりも内側に位置し、
第１のヒンジ部（２ａ，２ｂ）および第２のヒンジ（５ａ，５ｂ）部が、第２のヒンジ部（５ｂ）と第１のヒンジ部（２ｂ）の中心部に形成されている穴部を貫通して第１の筒状の空間に接するヒンジユニット（１９）および第２のヒンジ部（５ａ）と第１のヒンジ部（２ａ）の中心部に形成されている穴部を貫通して第２の筒状の空間に接するヒンジユニット（１９）の周りを回転することによって第１の筐体（１，７）と第２の筐体（４，１１）とを折り畳むことが可能である折り畳み筐体構造において、
前記第１の筒状の空間における前記第２の筒状の空間とは反対の側の側面に第１の立ち壁（１０）が設けられるとともに、前記第２の筒状の空間における前記第１の筒状の空間とは反対の側の側面に第２の立ち壁（１４）が設けられている
ことを特徴とする折り畳み筐体構造。
【請求項２】
第１の上部ヒンジ部材（３）と第１の下部ヒンジ部材（８）の接合部に沿って嵌合立ち壁（９）が設けられるとともに、第２の上部ヒンジ部材（６）と第２の下部ヒンジ部材（１２）の接合部に沿って嵌合立ち壁（１３）が設けられている
請求項１記載の折り畳み筐体構造。
【請求項３】
第１の筐体（１，７）内への水の侵入を防止する第１の防水用部材（１７）が第１の筐体内（１，７）における第１の下部ヒンジ部材（８）の裾部近傍に設けられ、第２の筐体（４，１１）内への水の侵入を防止する第２の防水用部材（１８）が第２の筐体内（４，１１）における第２の下部ヒンジ部材（１２）の裾部近傍に設けられている
請求項１または請求項２記載の折り畳み筐体構造。
【請求項４】
第１の筐体（１，７）と第２の筐体（４，１１）のうち少なくとも一方の筐体内における防水用部材のヒンジ部材側に、両端および底面が筐体に接触するリブ（１６）が設けられている
請求項３記載の折り畳み筐体構造。
【請求項５】
第１の筐体（１，７）と第２の筐体（４，１１）のそれぞれに印刷配線基板（２０，２１）が収容され、筒状空間には各印刷配線基板（２０，２１）に接続されるフレキシブル基板（２２）が収容されている
請求項１から請求項４のうちのいずれか１項に記載の折り畳み筐体構造。
【請求項６】
フレキシブル基板（２２）における第１の筐体（１，７）から延伸した部分は第１の筒状の空間に導かれるとともに第２の筒状の空間に延伸し、
前記第２の筒状の空間から延伸した部分が第２の筐体（４，１１）内に導かれる
請求項５記載の折り畳み筐体構造。
【請求項７】
第１の筐体と第２の筐体が組み合わされたときには、上部フロントケース（１）における２つのヒンジ部（２ａ，２ｂ）は、下部フロントケース（４）におけるそれぞれのヒンジ部（５ａ，５ｂ）の間に位置し、
上部フロントケース（１）における第１のヒンジ部（２ａ，２ｂ）のうちの一方が第１の上部ヒンジ部材（３）と一体形成され、
第２の下部ヒンジ部材（１２）の第１の筒状の空間側の根元に、第２の立ち壁（１４）と対向するように第３の立ち壁（１５）が設けられている
請求項１から請求項６のうちのいずれか１項に記載の折り畳み筐体構造。
【発明の詳細な説明】
【０００１】
【発明の属する技術分野】
本発明は、折り畳み可能な筐体構造に関し、特に、筐体内部に対する浸水防止対策を施した折り畳み筐体構造に関する。
【０００２】
【従来の技術】
携帯電話機には、近年の小型化の傾向に伴って、電話番号を含む種々の情報を表示する液晶パネル等が装備された上部筐体とダイアルボタン等が装備された下部筐体とが折り畳み可能な筐体構造を備えていることが多い。筐体内部には、携帯電話機における種々の動作制御を行うための装置基板が備えられている。また、このような折り畳み筐体構造は、携帯電話機以外のノート型パーソナルコンピュータ等の電子機器にも利用されていることが多い。
【０００３】
このような折り畳み筐体構造では、上部筐体および下部筐体にヒンジ部が備えられ、各筐体に備えられているヒンジ部どうしが接触し、各ヒンジ部に形成されている穴部を軸が貫通し、上部筐体と下部筐体とが軸を中心にして折り畳み可能となっていることが一般的である。
【０００４】
【発明が解決しようとする課題】
しかし、上記に示したような折り畳み筐体構造では、その構造如何によっては、ヒンジ部の接合面にできる僅かな隙間等から筐体内部に浸水することがある。そして、水滴が筐体内部に装備されている装置基板に付着することによって、装置基板が電気的に破壊されることがある。そのため、装置の機能が破壊されるという危惧がある。
【０００５】
そこで、本発明は、浸水防止構造を備えた折り畳み筐体構造を提供することを目的とする。
【０００６】
【課題を解決するための手段】
本発明による折り畳み構造は、第１のヒンジ部（２ａ，２ｂ）および第２のヒンジ（５ａ，５ｂ）部が、第２のヒンジ部（５ｂ）と第１のヒンジ部（２ｂ）の中心部に形成されている穴部を貫通して第１の筒状の空間に接するヒンジユニット（１９）および第２のヒンジ部（５ａ）と第１のヒンジ部（２ａ）の中心部に形成されている穴部を貫通して第２の筒状の空間に接するヒンジユニット（１９）の周りを回転することによって第１の筐体（１，７）と第２の筐体（４，１１）とを折り畳むことが可能である折り畳み筐体構造であって、第１の上部ヒンジ部材（３）と第１の下部ヒンジ部材（８）との接合によって形成される第１の筒状の空間における第２の上部ヒンジ部材（６）と第２の下部ヒンジ部材（１２）との接合によって形成される第２の筒状の空間と反対の側面に第１の立ち壁（１０）が設けられるとともに、第２の筒状の空間における第一の筒状の空間とは反対の側の側面に第２の立ち壁（１４）が設けられていることを特徴とする。
【０００７】
第１の上部ヒンジ部材（３）と第１の下部ヒンジ部材（８）の接合部に沿って嵌合立ち壁（９）が設けられるとともに、第２の上部ヒンジ部材（６）と第２の下部ヒンジ部材（１２）の接合部に沿って嵌合立ち壁（１３）が設けられている。嵌合立ち壁（９）および嵌合立ち壁（１３）が設けられることによって、第１の上部ヒンジ部材（３）と第１の下部ヒンジ部材（８）との結合によって形成される隙間、第２の上部ヒンジ部材（６）と第２の下部ヒンジ部材（１２）との結合によって形成される隙間からの水の浸入を防止することができる。
【０００８】
第１の筐体（１，７）内への水の侵入を防止する第１の防水用部材（１７）が第１の筐体内（１，７）における第１の下部ヒンジ部材（８）の裾部近傍に設けられ、第２の筐体（４，１１）内への水の侵入を防止する第２の防水用部材（１８）が第２の筐体内（４，１１）における第２の下部ヒンジ部材（１２）の裾部近傍に設けられている。第１の防水用部材（１７）および第２の防水用部材（１８）は、例えば、吸水シートや防水パッキンである。第１の防水用部材（１７）および第２の防水用部材（１８）が設けられることにより、筐体内部への水の浸入を防止することができる。
【０００９】
第１の筐体（１，７）と第２の筐体（４，１１）のうち少なくとも一方の筐体内における防水用部材のヒンジ部材側に、両端および底面が筐体に接触するリブ（１６）が設けられている。リブ（１６）を設けたことにより、筐体壁面を伝って水が浸入したとしても、その流水経路はリブ（１６）によって矩形状に曲げられるため、筐体内部への水の浸入を防止することができる。
【００１０】
第１の筐体（１，７）と第２の筐体（４，１１）のそれぞれに印刷配線基板（２０，２１）が収容され、筒状空間には各印刷配線基板（２０，２１）に接続されるフレキシブル基板（２２）が収容されている。フレキシブル基板（２２）における第１の筐体（１，７）から延伸した部分は第１の筒状の空間に導かれるとともに第２の筒状の空間に延伸し、第２の筒状の空間から延伸した部分が第２の筐体（４，１１）内に導かれる。先に示したように、第１の筐体（１、７）および第２の筐体（４、１１）には、それぞれ、防水用部材（１７）および（１８）が備えられているため、フレキシブル基板（２２）が水が付着したとしても、防水用部材（１７）や（１８）によってフレキシブル基板（２２）から印刷配線基板（２０）および（２１）に対する水滴の流出を阻止することができる。
【００１１】
第１の筐体と第２の筐体が組み合わされたときには、上部フロントケース（１）における２つのヒンジ部（２ａ，２ｂ）は、下部フロントケース（４）におけるそれぞれのヒンジ部（５ａ，５ｂ）の間に位置し、上部フロントケース（１）における２つのヒンジ部（２ａ，２ｂ）のうちの一方が第１の上部ヒンジ部材（３）と一体形成され、第２の下部ヒンジ部材（１２）の第１の筒状の空間側の根元に、第２の立ち壁（１４）と対向するように第３の立ち壁（１５）が設けられている。立ち壁（１５）が設けられることにより、第１の下部ヒンジ部材（８）と第２の下部ヒンジ部材（１２）の隙間からの浸水を防止することができる。
【００１２】
【発明の実施の形態】
以下、本発明による実施の形態について図面を参照して説明する。図１は、本発明による折り畳み筐体構造の分解斜視図である。図２は、本発明による折り畳み筐体構造の部分拡大図である。図１には、本発明による折り畳み筐体構造が携帯電話機に用いられた例が示されている。
【００１３】
上部フロントケース１（第１の筐体）には、液晶パネルに対応した透明部や受話音声出力用のスピーカに対応した音孔等が形成されている。上部フロントケース１の一端には、内側ヒンジ部（第１のヒンジ部）２ａ、２ｂおよび半ヒンジ部（第１の上部ヒンジ部材）３が形成されている。半ヒンジ部３は、内側ヒンジ部２ｂと一体化している。下部フロントケース（第２の筐体）４には、ダイヤル操作部等に対応した穴部や通話用のマイクに対応した音孔等が形成されている。下部フロントケース４の一端には、外側ヒンジ部（第２のヒンジ部）５ａ、５ｂおよび半ヒンジ部（第２の上部ヒンジ部材）６が形成されている。外側ヒンジ部５ａおよび５ｂ並びに内側ヒンジ部２ａおよび２ｂの中心部には、円筒状の穴部が形成されている。ヒンジユニット１９は、上部フロントケース１と下部フロントケース４とを結合するために用いられる。
【００１４】
印刷配線基板２０と印刷配線基板２１とは、フレキシブル基板２２を通じて接続される。印刷配線基板２０には、電話番号等を表示させる液晶パネルを駆動させるための回路等が実装されている。また、印刷配線基板２１には、ダイアル操作部からの指示を受け付ける回路等が実装されている。フレキシブル基板２２は、防水対策が施されたものであって、筒状に折り曲げられて印刷配線基板２０と印刷配線基板２１とを接続する。
【００１５】
上部リアケース（第１の筐体）７の一端には、半ヒンジ部（第１の下部ヒンジ部材）８が形成されている。半ヒンジ部８の先端部には、上部フロントケース１における半ヒンジ部３と嵌合するために用いられる嵌合立ち壁９が形成されている。半ヒンジ部８の内側ヒンジ部２ｂと接触する側面には浸水防止用の周囲立ち壁（第１の立ち壁）１０が形成されている。
【００１６】
下部リアケース（第２の筐体）１１の一端には、半ヒンジ部（第２の下部ヒンジ部材）１２が形成されている。半ヒンジ部１２の先端部分には、下部フロントケース４における半ヒンジ部６との嵌合のために用いられる嵌合立ち壁１３が形成されている。半ヒンジ部１２における内側ヒンジ部２ａと接触する側面には、円周状立ち壁（第２の立ち壁）１４が形成され、他の側面には、立ち壁（第３の立ち壁）１５が形成されている。円周状立ち壁１４の一端は、円周状の形状となっている。
【００１７】
円周状立ち壁１４および立ち壁１５の一端のうち、嵌合立ち壁１３と最も遠い位置に属する一端には、浸水防止のために用いられるリブ１６が接触する。リブ１６の幅は、下部リアケース１１の内側の幅と同じであり、リブ１６の高さは、フレキシブル基板２２の下部リアケース１１からの高さと同じになっている。リブ１６は、その両側面が下部リアケース１１の内壁に接触し、その底面が下部リアケース１１の底面と接触する。
【００１８】
吸水シート（第１の防水用部材）１７は、上部リアケース７の内側に設置され、吸水シート（第２の防水用部材）１８は、下部リアケース１１の内側に設置される。吸水シート１７および１８は、例えば、フェルト繊維等で構成される。
【００１９】
次に、図１に示す折り畳み筐体構造の組立方法について説明する。図３は、筐体の接合部をＡ−Ａ’の位置で切断したときの断面を示す断面図である。図４は、筐体の接合部をＢ−Ｂ’の位置で切断したときの断面を示す断面図である。図５は、筐体を折り畳んだときの接合部をＣ−Ｃ’の位置で切断したときの断面を示す断面図である。
【００２０】
内側ヒンジ部２ａの側面が外側ヒンジ部５ａおよび半ヒンジ部６の側面に接触し、半ヒンジ部３の側面が半ヒンジ部６の側面と接触し、内側ヒンジ部２ｂの側面が外側ヒンジ部５ｂの側面と接触するように、上部フロントケース１と下部フロントケース４とを合わせる。そして、軸となるヒンジユニット１９を、外側ヒンジ部５ａおよび内側ヒンジ部２ａの中心部に形成されている穴部に貫通させる。同様に、外側ヒンジ部５ｂおよび内側ヒンジ部２ｂの中心部に形成されている穴部にも貫通させる。その結果、上部フロントケース１と下部フロントケース４とが結合される。
【００２１】
印刷配線基板２０を上部フロントケース１の内側に取り付ける。同様に、印刷配線基板２１を下部フロントケース４の内側に取り付ける。このとき、筒状に折り曲げられたフレキシブル基板２２が半ヒンジ部３と半ヒンジ部６との接合によって生ずる半円状の空間に内包されるように、印刷配線基板２０および２１を取り付ける。
【００２２】
吸水シート１７を上部リアケース７の内側に貼付する。例えば、半ヒンジ部８の裾部の近傍に位置する場所に貼付する。同様に、吸水シート１８を下部リアケース１１の内側に貼付する。例えば、リブ１６に接する位置に貼付する。
【００２３】
嵌合立ち壁９と半ヒンジ部３の内側とを嵌合させることによって、上部フロントケース１と上部リアケース７とを嵌合する。同様に、嵌合立ち壁１３と半ヒンジ部６の内側とを嵌合することによって、下部フロントケース４と下部リアケース１１とを嵌合する。その結果、上部フロントケース１と上部リアケース７とが一体化し、下部フロントケース４と下部リアケース１１とが一体化する。そして、一体化した上部筐体（上部フロントケース１、上部リアケース７）と下部筐体（下部フロントケース４、下部リアケース１１）とは、ヒンジユニット１９を軸にして折り畳み可能になる。
【００２４】
以上のように、本実施の形態によれば、周囲立ち壁１０、円周状立ち壁１４および立ち壁１５を備えることで、半ヒンジ部１２と内側ヒンジ部２ａの隙間、半ヒンジ部１２と半ヒンジ部８の隙間および半ヒンジ部８と内側ヒンジ部２ｂの隙間からの筐体内部への浸水を防止することができる。
【００２５】
また、下部リアケース１１にリブ１６を備えたことで、内側ヒンジ部２ａと下部フロントケース４の隙間および半ヒンジ部３と半ヒンジ部８とが結合された部分と下部フロントケース４の隙間から筐体壁面を伝って水が流れ込んだとしても、その流入経路が円周状立ち壁１４、立ち壁１５やリブ１６によって矩形状に曲げられるため、筐体内部への浸水を防止することができる。
【００２６】
さらに、吸水シート１７を上部リアケース７における半ヒンジ部８の裾部の近傍に設置し、吸水シート１８を下部リアケース１１におけるリブ１６の近傍に設置することで、半ヒンジ部３と半ヒンジ部６の隙間等からの浸水によりフレキシブル基板２２が濡れたとしても、各吸水シートがフレキシブル基板２２から流出する水滴を吸収するため、筐体内部への浸水を防止することができる。即ち、浸水により印刷配線基板２０および２１が電気的に破壊されることを防止することができる。
【００２７】
なお、上記の実施の形態では、浸水防止対策として吸水シート１７および１８が用いられた場合を例にとって説明したが、吸水シート１７および１８の代わりに、シリコンゴムやＥＰＤＭ（エチレン）等の成形品である防水パッキンを用いてもよい。
【００２８】
また、上記の実施の形態では、本発明による折り畳み筐体構造を携帯電話機に応用した例について説明したが、ノート型パーソナルコンピュータ等の電子機器に応用してもよい。
【００２９】
【発明の効果】
本発明によれば、第１のヒンジ部（２ａ，２ｂ）および第２のヒンジ（５ａ，５ｂ）部が、第２のヒンジ部（５ｂ）と第１のヒンジ部（２ｂ）の中心部に形成されている穴部を貫通して第１の筒状の空間に接するヒンジユニット（１９）および第２のヒンジ部（５ａ）と第１のヒンジ部（２ａ）の中心部に形成されている穴部を貫通して第２の筒状の空間に接するヒンジユニット（１９）の周りを回転することによって第１の筐体（１，７）と第２の筐体（４，１１）とを折り畳むことが可能である折り畳み筐体構造において、第１の上部ヒンジ部材（３）と第１の下部ヒンジ部材（８）との結合によって形成される第１の筒状の空間内における第２の上部ヒンジ部材（６）と第２の下部ヒンジ部材（１２）との結合によって形成される第２の筒状の空間とは反対の側の側面に第１の立ち壁（１０）が備えられるとともに、第２の筒状の空間における第１の筒状の空間と反対の側の側面に第２の立ち壁（１４）が備えられるので、第１のヒンジ部（２ｂ）と第１の下部ヒンジ部材（８）の隙間、第１のヒンジ部（２ａ）と第２の下部ヒンジ部材（１２）の隙間からの空間内への浸水を防止することができる。
【００３０】
また、第１の防水用部材（１７）を第１の筐体（１、７）における第１の下部ヒンジ部材（８）の裾部近傍に備え、第２の防水用部材（１８）を第２の筐体（４、１１）における第２の下部ヒンジ部材（１２）の裾部近傍に設置されるので、第１の筐体（１、７）および第２の筐体（４、１１）の内部への浸水を防止することができる。
【００３１】
さらに、両端および底面が筐体に接触するリブ（１６）を、第１の筐体（１、７）と第２の筐体（４、１１）のうち少なくとも一方の筐体内における防水用部材のヒンジ部材側に設置することによって、筐体壁面を伝って水が浸入したとしても、その流水経路はリブ（１６）によって矩形状に曲げられるため、筐体内部への浸水を防止することができる。
【図面の簡単な説明】
【図１】  本発明による折り畳み筐体構造の分解斜視図である。
【図２】  本発明による折り畳み筐体構造の部分拡大図である。
【図３】  筐体の接合部をＡ−Ａ’の位置で切断したときの断面を示す断面図である。
【図４】  筐体の接合部をＢ−Ｂ’の位置で切断したときの断面を示す断面図である。
【図５】  筐体を折り畳んだときの接合部をＣ−Ｃ’の位置で切断したときの断面を示す断面図である。
【符号の説明】
１          上部フロントケース
２ａ、２ｂ  内側ヒンジ部
３          半ヒンジ部
４          下部フロントケース
５ａ、５ｂ  外側ヒンジ部
６          半ヒンジ部
７          上部リアケース
８          半ヒンジ部
９          嵌合立ち壁
１０        周囲立ち壁
１１        下部リアケース
１２        半ヒンジ部
１３        嵌合立ち壁
１４        円周状立ち壁
１５        立ち壁
１６        リブ
１７、１８  吸水シート
１９        ヒンジユニット
２０、２１  印刷配線基板
２２        フレキシブル基板
【図１】
0003741948.tif 000002
【図２】
0003741948.tif 000003
【図３】
0003741948.tif 000004
【図４】
0003741948.tif 000005
【図５】
0003741948.tif 000006